(57)【特許請求の範囲】
【請求項１】
信号を伝送する伝送線と;
伝送線より受信した制御信号に従って照明負荷を調光、点灯、消灯する少なくとも１つの制御用端末器と;
制御用端末器により調光制御される照明負荷と;
周囲の照度を検出してこの検出照度が基準値を越えた場合に消灯信号を発生し、基準値以下になった場合に点灯信号などの制御信号を発生する光センサ制御装置と;
光センサ制御装置により発生された制御信号を伝送線上に送出する入力用監視端末器と;
スイッチの手動操作に応じて照明負荷の調光、点灯、消灯の制御信号を発生し、発生した制御信号を伝送線に送出するスイッチ入力端末器と;
入力用監視端末器とスイッチ入力端末器を区別する設定情報を入力すると、対応する設定信号を発生する設定器と;
設定器により発生した設定信号を伝送線上に送出するスイッチ操作監視端末器と;
入力用監視端末器とスイッチ入力端末器を区別する設定信号およびスイッチ入力端末器から伝送線を通して受信した制御信号を保持する内部メモリを有し、スイッチ入力端末器からの消灯信号を対応する制御用端末器に送信して照明負荷を消灯させ、その後、スイッチ入力端末器から受信した信号が点灯信号であった場合は、光センサ制御装置の制御信号にかかわらず制御用端末器に送信して照明負荷を点灯させる制御を行い、その後、光センサ制御装置が発生する制御信号を制御用端末器に送信して照明負荷の制御を開始し、入力用監視端末器から消灯信号を受信すると消灯信号を対応する制御用端末器に送信して照明負荷を消灯させる制御を行う中央制御装置と;
を具備することを特徴とする照明制御システム。
【発明の詳細な説明】
【０００１】
【発明の属する技術分野】
本発明は、中央制御装置が時分割多重伝送で複数の制御用端末器を制御することにより複数の照明負荷を調光する照明制御システムに関する。
【０００２】
【従来の技術】
従来から省エネルギー照明の一つとして、光センサにより昼光照度を検出し、この昼光照度に応じて室内の照度を制御することにより、昼間の明るい時は昼光を利用し、その分、室内の照明は暗くするなり消灯する照明制御システムが開発され、消費電力の低減が図られている。図８はこのような従来の照明制御システムの構成例を示した概略図である。
【０００３】
本例の中央制御装置１は、外部から設定操作可能な表示部、キー操作部（図示せず）を備えており、この表示部、キー操作部から光センサ受光器２１、２２と制御端末器４との対応関係（いずれの光センサでいずれの制御端末器４を制御するかの対応関係）や制御状態情報を入力し、中央制御装置１の図示されない記憶部に記憶させていた。このようなシステムでは、光センサ受光器２１、２２は中央制御装置１に直接、あるいは信号線を介して端末器として接続されている。
【０００４】
中央制御装置１は上記した光センサ受光器２１、２２と制御端末器４との対応関係や制御状態情報に基づいて、光センサ受光器２１、２２が検出した昼光照度に応じた調光レベルを求め、これを信号伝送線３を通して対応する制御端末器４（実際には複数ある場合が通常である）に送信することにより、室内の照明負荷の照度を昼光照度に応じて、制御している。
【０００５】
しかし、上記のシステムは大型でコストも高いので、中央制御装置１の小型、低コスト化を図るべく、図９に示すような分電盤協約寸法にした中央制御装置１を用いた照明制御システムが提案（文献；松下電工技術資料）されている。このシステムの中央制御装置１は何らかの情報入力手段によって信号伝送線３を介して入力された入力用監視端末器５と制御端末器４ａ、４ｂの対応関係を記憶している。又、光センサ制御器９に接続されている光センサ受光器９１は昼光の照度を検出するが、光センサ制御器９はこの検出照度が所定レベル以上であった場合に、照明負荷８を消灯するオフ信号を動作停止スイッチ６を介して入力用監視端末器５に出力し、入力用監視端末器５は消灯信号を信号伝送線３を通して中央制御装置１に送信する。
【０００６】
しかし、中央制御装置１は光センサ制御器９から入力用監視端末器５を介して入力された消灯信号と、壁スイッチ７ａ又は７ｂより信号伝送線３を介して入力された消灯信号を区別できず扱いを同じにしているため、以下に述べるような不具合が生じる。即ち、図１０１０（Ａ）に示すように壁スイッチ７ａの入れスイッチが押され（ハイレベル）、点灯信号が中央制御装置１に信号伝送線３を通して入力されると、中央制御装置１は壁スイッチ７ａに対応する、例えば制御用端末器４ａの照明負荷８を図１０（Ｄ）に示すように点灯（ハイレベル）させる。その後、上記壁スイッチ７ａの切りスイッチが押される（ローレベル）と、中央制御装置１に信号伝送線３を通して消灯信号が入力されるため、中央制御装置１は制御用端末器４ａの照明負荷８を図１０（Ｄ）に示すように消灯（ローレベル）させる。
【０００７】
その後、昼光照度が高くなって、光センサ制御器２が動作停止スイッチ６を介して、入力用監視端末器５に消灯信号を入力すると、中央制御装置１に信号線３を通して入力用監視端末器５から図１０（Ｂ）に示すように消灯信号（ハイレベル）が入力される。但し、通常は図１０（Ｃ）に示すように動作停止スイッチ６はオン状態になっている。これにより、中央制御装置１は入力用監視端末器５に対応する制御用端末器４ａに消灯信号を送って照明負荷８を図１０（Ｄ）に示すように消灯させるが、この時は上記した壁スイッチ７ａの操作により、この照明負荷８は消灯状態（ローレベル）にあるため、何も変化しない。
【０００８】
その後、昼光照度が低くなって、光センサ制御器９が動作停止スイッチ６を介して入力用監視端末器５に点灯信号を入力すると、中央制御装置１に信号線３を通して入力用監視端末器５から図１０（Ｂ）に示すように点灯信号（ローレベル）が入力されるため、中央制御装置１は入力用監視端末器５に対応する制御用端末器４ａの照明負荷８を図１０（Ｄ）に示すように点灯（ハイレベル）させる。これにより、消灯状態にあった照明負荷８が点灯してしまうという不具合が発生する。
【０００９】
そこで、従来はこの不具合を回避するため、動作停止スイッチ６をオフして、光センサ制御器９のシステム内での動作を停止する措置が施されている。しかし、これでは、入力用監視端末器５と光センサ制御器９間に動作停止スイッチ６を挿入する構成を採らなければならず、システムの部品点数が多くなって、コスト高になるだけでなく、動作停止スイッチ６をいちいち手動でオンオフしないと、昼光利用ができなかったり、或いは上記した不具合が生じてしまうので、システムの操作性が悪いという不具合があった。
【００１０】
又、上記した壁スイッチ７ａ、７ｂは制御端末器４ａ、４ｂに照明負荷８の調光状態を指示するアツプ／ダウン／ストップ／入切等の情報をキー操作で入力する。これら壁スイッチ７ａ、７ｂからの操作によって連続調光制御を実施する場合、１つの固有アドレスの壁スイッチ７ａに対して１台の制御端末器、例えば制御端末器４ａしか対応しておらず、壁スイッチ７ａからの操作はこの制御端末器４ａにしか利かなかった。従って、１台の制御端末器７ａがカバーするエリアより広いエリアを壁スイッチ７ａにて連続調光制御することができず、使い勝手が悪いという不具合があった。
【００１１】
ところで、上記照明制御システムとは使用場所が異なるが、列車や車が通過するトンネル内の照明システムとして、トンネルの天井などにトンネルの長手方向に沿って配列された複数の例えばＨＩＤランプを点灯するものがある。しかし、従来この種のシステムでは、トンネル内は列車や車の通過で汚れるため、これに伴って、ランプ表面が汚れて、その光束が減衰することと、ランプ使用時間によりその光束が減衰するため、トンネル内の照度が変化して低下するにも拘らず、適正な照度維持制御がなされていなかった。このため、ランプの交換後、或いは照明器具清掃後はトンネル内が設計照度より高くなり、電力の無駄が生じると共に、その後、照度が下がる方向でトンネル内の照度が変化してしまうという不具合があった。
【００１２】
【発明が解決しようとする課題】
上記のように分電盤協約寸法にした小型、低コストの図９に示した中央制御装置１では、入力用監視端末器５と光センサ制御器９間に動作停止スイッチ６を挿入する構成を採らなければならず、システムの部品点数が多くなって、コスト高になるだけでなく、上記した動作停止スイッチ６をいちいち手動でオンオフしないと、昼光利用が支障なく円滑にできなくなってしまうので、システムの操作性が悪いという不具合があった。又、壁スイッチ７ａからの操作により１台の例えば制御端末器４ａしか制御できないため、１台の制御端末器４ａがカバーするエリアより広いエリアを壁スイッチ７ａにて連続調光制御することができず、使い勝手が悪いという不具合があった。更に、トンネル内を照明するシステムでは、トンネル内の照度を一定にできないという不具合があった。
【００１３】
そこで本発明は上記のような課題を解決するためになされたもので、昼光を支障なく円滑に利用することができ、又、１台の壁スイッチで複数の制御端末器を操作することができる操作性の向上した照明制御システム、及びトンネル内の照度を一定に制御することができる照明制御システムを提供することを目的としている。
【００１４】
【発明を解決するための手段】
請求項１に記載の発明は、信号を伝送する伝送線と;
伝送線より受信した制御信号に従って照明負荷を調光、点灯、消灯する少なくとも１つの制御用端末器と;制御用端末器により調光制御される照明負荷と;周囲の照度を検出してこの検出照度が基準値を越えた場合に消灯信号を発生し、基準値以下になった場合に点灯信号などの制御信号を発生する光センサ制御装置と;光センサ制御装置により発生された制御信号を伝送線上に送出する入力用監視端末器と;スイッチの手動操作に応じて照明負荷の調光、点灯、消灯の制御信号を発生し、発生した制御信号を伝送線に送出するスイッチ入力端末器と;入力用監視端末器とスイッチ入力端末器を区別する設定情報を入力すると、対応する設定信号を発生する設定器と;設定器により発生した設定信号を伝送線上に送出するスイッチ操作監視端末器と;入力用監視端末器とスイッチ入力端末器を区別する設定信号およびスイッチ入力端末器から伝送線を通して受信した制御信号を保持する内部メモリを有し、スイッチ入力端末器からの消灯信号を対応する制御用端末器に送信して照明負荷を消灯させ、その後、スイッチ入力端末器から受信した信号が点灯信号であった場合は、光センサ制御装置の制御信号にかかわらず制御用端末器に送信して照明負荷を点灯させる制御を行い、その後、光センサ制御装置が発生する制御信号を制御用端末器に送信して照明負荷の制御を開始し、入力用監視端末器から消灯信号を受信すると消灯信号を対応する制御用端末器に送信して照明負荷を消灯させる制御を行う中央制御装置と;を具備している。
【００１５】
【発明の実施の形態】
以下、本発明の実施の形態を図面を参照して説明する。図１は本発明の照明制御システムの第１の実施の形態を示したブロック図である。１は信号伝送線３を介して入力される制御情報信号に基づいて制御用端末器４ａ、４ｂの動作などを制御する中央制御装置、３は設定信号や制御信号が時分割多重で伝送される信号伝送線、４ａ、４ｂは信号伝送線３から受信した制御信号に基づいて、照明負荷８を調光制御やオンオフ制御する制御用端末器、５は光センサ制御器９から入力される照明負荷８のオンオフ情報の入力を監視する入力用監視端末器、７ａ、７ｂは照明負荷８の調光レベルやオンオフ情報をスイッチ操作で手動入力する壁スイッチ（スイッチ入力端末器）８は制御用端末器４ａ、４ｂにより点滅又は調光制御される蛍光灯などの照明負荷、９は光センサ受光器９１により検出された昼光の照度に基づいて照明負荷８のオンオフ情報を発生する光センサ制御器、１０は入力用監視端末器５、壁スイッチ７ａ、７ｂと制御端末器４ａ、４ｂの対応関係情報や入力用監視端末器５と壁スイッチ７ａ、７ｂからの情報を区別して制御するための設定信号を中央制御装置１に設定するための設定器、１１は設定器１０から入力される設定信号を信号伝送線３上に送出するスイッチ操作監視端末器、９１は昼光の照度を検出する光センサ受光器である。
【００１６】
ここで、中央制御装置１には特別な表示部、操作部は設けておらず分電盤協約寸法としている。又、上記した対応関係情報とは、光センサ制御器９を監視している入力用監視端末器５の制御情報により、中央制御装置１が制御用端末器４ａの制御を行う関係を意味している。制御情報とは、光センサ受光器９１の検出照度が基準値を上回っている時の光センサ制御中、制御用端末器４ａの照明負荷８を０％調光レベルに、制御用端末器４ｂの照明負荷８を５０％の調光レベルに制御するなどの情報を意味する。尚、光センサ受光器９１と光センサ制御器９は光センサ制御装置を構成する。
【００１７】
図２は図１に示した中央制御装置１の詳細構成図である。１１１は調光制御や設定処理などを行うＣＰＵ、１１２はＣＰＵ１１１を動作させるプログラムやデータ、或いは動作状態データなどを記憶する電源バックアップ付きメモリ、１１３は信号伝送線３に対するデータの時分割送受信制御を行う伝送制御部、１１４は電源部である。
【００１８】
図３は図１に示した設定器１０の詳細平面図である。設定器１０は携帯に便利なように小型軽量で、その前面には、設定情報を入力するキー操作部３１、設定情報を表示する液晶表示部３２が設けられている。この設定器１０は接続ジャック３３を図１に示したスイッチ操作監視端末器１１に挿入接続することにより、使用可能となる。
【００１９】
次に本実施の形態の動作について説明する。まず、設定器１０により、例えば入力用監視端末器５と制御用端末器４ａが対応関係にあり、壁スイッチ７ａと制御用端末器４ａが対応関係にあるような対応関係情報や、制御用端末器４ａの照明負荷８を光センサ制御中は０％調光する制御情報などの各種設定情報をスイッチ操作監視端末器１１に入力する。スイッチ操作監視端末器１１は入力された上記各種設定情報に対応する設定信号を信号伝送線３を通して中央制御装置１に送信する。中央制御装置１は送信されてきた各種設定信号を伝送制御部１１３で受信すると、ＣＰＵ１１１はこれらを内部のメモリ１１２に記憶して設定する。
【００２０】
次に照明負荷８が点灯制御中、光センサ制御が入った場合について説明する。今、壁スイッチ７ａの入れスイッチが図４（Ａ）で示すように押下（ハイレベル）されると、点灯信号が信号伝送線３を通して中央制御装置１に送信される。中央制御装置１は前記信号を受信すると、信号伝送線３を通して制御用端末器４ａに照明負荷８を例えば８０％調光点灯する制御信号を出すと共に、この点灯制御信号をメモリ１１２に保持する。これにより、制御用端末器４ａは図４（Ｃ）で示すように照明負荷８を８０％調光点灯（ハイレベル）する。その後、光センサ制御器９は光センサ受光器９１が検出した昼光の照度が基準レベルを上回ると、図４（Ｂ）で示すようにセンサ制御（ハイレベル）を行うべく、入力用監視端末器５に消灯信号を入力する。入力用監視端末器５は前記消灯信号を信号伝送線３を通して中央制御装置１に送信する。中央制御装置１は前記消灯信号を受信すると、信号伝送線３を通して制御用端末器４ａに照明負荷８を調光消灯する信号を出す。これにより、制御用端末器４ａは図４（Ｃ）で示すように照明負荷８を消灯（ローレベル）する。
【００２１】
更に、その後、光センサ制御器９は光センサ受光器９１が検出した昼光の照度が基準レベルを下回ると、図４（Ｂ）で示すようにセンサ制御を終了（ローレベル）すべく、入力用監視端末器５に点灯信号を入力する。入力用監視端末器５は前記点灯信号を信号伝送線３を通して中央制御装置１に送信する。中央制御装置１は前記点灯信号を受信すると、光センサ制御の終了と判定し、メモリ１１２に保持された照明負荷８を８０％で調光点灯する点灯制御信号を信号伝送線３を通して制御用端末器４ａに送信する。これにより、制御用端末器４ａは図４（Ｃ）で示すように照明負荷８を例えば８０％調光点灯（ローレベル）する。次に、壁スイッチ７ａの切りスイッチが図４（Ａ）で示すように押下（ローレベル）されると、消灯信号が信号伝送線３を通して中央制御装置１に送信される。中央制御装置１は前記信号を受信すると、信号伝送線３を通して制御用端末器４ａに照明負荷８を調光消灯する制御信号を出すと共に、この制御信号をメモリ１１２に保持する。これにより、制御用端末器４ａは図４（Ｃ）で示すように照明負荷８を調光消灯（ローレベル）する。
【００２２】
即ち、中央制御装置１は照明負荷８を点灯制御中、光センサ受光器９１の検出照度が基準値を上回った場合は、前記照明負荷８に対して光センサ制御を行い、光センサ受光器９１の検出照度が基準値を下回って光センサ制御が終了し、光センサ制御に入る前の制御に戻す。
【００２３】
次に照明負荷８が点灯制御中、光センサ制御が入り、その制御中に壁スイッチ７ａなどから消灯操作があった場合について説明する。壁スイッチ７ａの入れスイッチが図４（Ｄ）で示すように押下（ハイレベル）されると、中央制御装置１は８０％調光点灯制御信号をメモリ１１２に保持すると共に、この制御信号を制御用端末器４ａに送信して、図４（Ｆ）で示すように照明負荷８を８０％調光点灯（ハイレベル）する。その後、光センサ制御器９は光センサ受光器９１が検出した昼光の照度が基準レベルを上回ると、図４（Ｅ）で示すように光センサ制御（ハイレベル）を行うべく、入力用監視端末器５に消灯信号を入力する。これにより、中央制御装置１は光センサ制御を開始し、消灯信号を制御用端末器４ａに送って、図４（Ｆ）で示すように照明負荷８を消灯（ローレベル）する。
【００２４】
この光センサ制御中に、壁スイッチ７ａの切りスイッチが図４（Ｄ）で示すように押下（ローレベル）されると、中央制御装置１はこれを信号伝送線３を通して受信し、消灯制御信号をメモリ１１２に保持しておくが、現在は光センサ制御中であるので、制御用端末器４ａの照明負荷８の消灯（ローレベル）状態を図４R>４（Ｆ）で示すように継続する。その後、光センサ制御器９は光センサ受光器９１が検出した昼光の照度が基準レベルを下回ると、図４（Ｆ）で示すようにセンサ制御を終了（ローレベル）すべく、入力用監視端末器５に点灯信号を入力する。中央制御装置１は入力用監視端末器５から信号伝送線３を通して点灯信号を受信すると、中央制御装置１は光センサ制御の終了と判定し、前記メモリ１１２に保持されている消灯制御信号を制御用端末器４ａに送って、そのまま、制御用端末器４ａの照明負荷８の消灯（ローレベル）状態を図４（Ｆ）で示すように継続する。
【００２５】
即ち、中央制御装置１は照明負荷８を点灯制御中、光センサ受光器９１の検出照度が基準値を上回った場合は、前記照明負荷８に対して光センサ制御を行い、光センサ受光器９１の検出照度が基準値を下回って光センサ制御が終了すると、光センサ制御中のメモリ１１２に保持されている制御、この場合は消灯制御に戻すため、上記の例では、光センサ制御が終了しても、前記照明負荷８が点灯するようなことはない。
【００２６】
次に照明負荷８が消灯制御中、光センサ制御が入った場合の動作について説明する。壁スイッチ７ａの切りスイッチが図４（Ｇ）で示すように押下（ローレベル）されて、これにより、中央制御装置１は消灯制御信号をメモリ１１２に保持すると共に、制御用端末器４ａに送って、図４（Ｉ）で示すように照明負荷８を消灯（ローレベル）する。その後、光センサ制御器９は光センサ受光器９１が検出した昼光の照度が基準レベルを上回ると、図４（Ｈ）で示すように光センサ制御（ハイレベル）を行うべく、入力用監視端末器５に消灯信号を入力する。これにより、中央制御装置１は消灯制御信号を制御用端末器４ａに送って、照明負荷８の消灯（ローレベル）状態を図４（Ｉ）で示すように継続する。
【００２７】
その後、光センサ制御器９は光センサ受光器９１が検出した昼光の照度が基準レベルを下回ると、図４（Ｈ）で示すようにセンサ制御を終了（ローレベル）すべく、入力用監視端末器５に点灯信号を入力する。中央制御装置１は入力用監視端末器５から信号伝送線３を通して点灯信号を受信すると、中央制御装置１は光センサ制御の終了と判定し、前記メモリ１１２に保持されている消灯制御信号を制御用端末器４ａに送って、照明負荷８の消灯（ローレベル）状態を図４（Ｉ）で示すように継続する。
【００２８】
即ち、中央制御装置１は照明負荷８を消灯制御中、光センサ受光器９１の検出照度が基準値を上回って、その後下回った場合、光センサ制御の開始、終了に拘らず、前記照明負荷８は消灯したままとなる。
【００２９】
次に光センサ制御中に照明負荷８の点灯制御が入り、この点灯制御中に光センサ制御が終了した後、光センサ制御が再度入って終了した場合の動作について説明する。当初、壁スイッチ７ａの切りスイッチが図４（Ｊ）で示すように押下（ローレベル）されて、これにより、中央制御装置１は消灯制御信号を制御用端末器４ａに送って、図４（Ｌ）で示すように照明負荷８を消灯（ローレベル）するが、この時、消灯制御信号を内部のメモリ１１２に保持しておく。その後、光センサ制御器９は光センサ受光器９１が検出した昼光の照度が基準レベルを上回ると、図４（Ｋ）で示すようにセンサ制御（ハイレベル）を行うべく、入力用監視端末器５に消灯信号を入力する。
【００３０】
これにより、中央制御装置１は消灯信号を制御用端末器４ａに送って、照明負荷８の消灯（ローレベル）状態を図４（Ｌ）で示すように継続する。この光センサ制御中、壁スイッチ７ａの入れスイッチが図４（Ｊ）で示すように押下（ハイレベル）されると、中央制御装置１は信号伝送線３より点灯信号を入力し、点灯制御信号を内部のメモリ１１２に保持すると共に、これを信号伝送線３を通して制御用端末器４ａに送るため、制御用端末器４ａは図４（Ｌ）で示すように照明負荷８を８０％調光点灯（ハイレベル）する。即ち、中央制御装置１は光センサ制御に入った後の手動操作に対してはこれを優先し、上記のような制御を行う。
【００３１】
その後、光センサ制御器９は光センサ受光器９１が検出した昼光の照度が基準レベルを下回ると、図４（Ｋ）で示すようにセンサ制御を終了（ローレベル）すべく、入力用監視端末器５に点灯信号を入力する。中央制御装置１は入力用監視端末器５から信号伝送線３を通して点灯信号を受信すると、中央制御装置１は光センサ制御の終了と判定し、前記メモリ１１２に保持されている点灯制御信号を制御用端末器４ａに送って、照明負荷８の点灯（ハイレベル）状態を図４（Ｌ）で示すように継続する。更に、その後、光センサ制御器９は光センサ受光器９１が検出した昼光の照度が基準レベルを上回ると、図４（Ｋ）で示すようにセンサ制御（ハイレベル）を行うべく、入力用監視端末器５に消灯信号を入力する。中央制御装置１は信号伝送線３を通して、センサ制御が入ったことを知ると、信号伝送線３を通して制御用端末器４ａに消灯制御を行う。
【００３２】
これにより、制御用端末器４ａは図４（Ｌ）で示すように照明負荷８を消灯（ローレベル）する。更に、その後、光センサ制御器９は光センサ受光器９１が検出した昼光の照度が基準レベルを下回ると、図４（Ｋ）で示すようにセンサ制御を終了（ローレベル）すべく、入力用監視端末器５に点灯信号を入力する。中央制御装置１は入力用監視端末器５から信号伝送線３を通して点灯信号を受信すると、中央制御装置１は光センサ制御の終了と判定し、前記メモリ１１２に保持されている点灯制御信号を信号伝送線３を通して制御用端末器４ａに送って、図４（Ｌ）で示すように照明負荷８を点灯（ハイレベル）する。その後、壁スイッチ７ａの切りスイッチが図４（Ｊ）で示すように押下（ローレベル）されると、中央制御装置１は信号伝送線３より消灯信号を入力し、消灯制御信号を内部のメモリ１１２に保持すると共に、これを信号伝送線３を通して制御用端末器４ａに送る。これにより、制御用端末器４ａは図４（Ｌ）で示すように照明負荷８を調光消灯（ローレベル）する。
【００３３】
即ち、中央制御装置１は消灯制御中に光センサ制御に入り、この光センサ制御中に、手動操作により、点灯制御がかかると、後操作優先として、照明負荷８を点灯させる。その後、光センサ制御が一旦終了して、再度、光センサ制御に入ると、中央制御装置１は光センサ制御を行う。
【００３４】
尚、図４（Ｏ）で示すように照明負荷８が消灯制御中（ローレベル）に、図４（Ｎ）で示すように光センサ制御器９から光センサ制御（ハイレベル）が入力されると、中央制御装置１は光センサ制御を開始するが、図４（Ｏ）で示すように照明負荷８が消灯制御中のままになる。その後、この光センサ制御中に図示しない内監視端末（Ｔ／Ｕ）から図４（Ｍ）で示すように照明負荷８が点灯制御（ハイレベル）が入力されても、このような手動操作でない端末器からの制御に対しては、光センサ制御を優先し、中央制御装置１は光センサ制御を続行して、図４（Ｏ）で示すように照明負荷８の消灯制御（ローレベル）を継続する。その後、図４R>４（Ｎ）で示すように光センサ制御器９から光センサ制御終了（ローレベル）が入力されると、中央制御装置１は制御用端末器４ａに点灯制御信号を送って、照明負荷８の点灯制御（ハイレベル）を行う。その後、内監視端末（Ｔ／Ｕ）から図４（Ｍ）で示すように消灯信号（ローレベル）が入力されると、中央制御装置１は制御用端末器４ａに消灯制御信号を送って、図４（Ｏ）で示すように照明負荷８の消灯制御（ローレベル）を行う。
【００３５】
次に壁スイッチ７ａ、７ｂにより操作制御できる制御端末器４ａ、４ｂと、壁スイッチ７ａ、７ｂとの対応関係の設定について説明する。壁スイッチ７ａ、７ｂと操作対象となる制御用端末器４ａ、４ｂとのグルーピングは、設定器１０により対応関係情報をスイッチ操作監視端末器１１に入力することによって信号伝送線を介して中央制御装置１に送信し、対応関係情報をメモリ１１２に記憶させることで行われる。
【００３６】
設定器１０では、設定する例えば壁スイッチ７ａの固有のアドレス、例えば１０１を指定し、これにグルーピングされる制御用端末器４ａ、４ｂの固有アドレス３０１、３０２を選択すると、これらの設定情報は設定器１０の液晶表示部３２に表示されると共に、スイッチ操作監視端末器１１より信号伝送線３を介して中央制御装置１に送信される。中央制御装置１は、信号伝送線３より受信したこれらの設定情報を認識した後、内部のメモリ１１２に記憶して設定する。
【００３７】
図５は上記したメモリ１１２の設定内容例を示した模式図である。壁スイッチのアドレスに対して、この壁スイッチの操作対象となる複数の制御用端末器のアドレスが設定されている。例えば１０１という固有アドレスを持った壁スイッチ７ａは、３１１、３１２という固有アドレスを持った制御用端末器４ａ、４ｂとグループを形成し、壁スイッチ７ａの操作で制御用端末器４ａ、４ｂが制御される対応関係が設定されている。尚、制御用端末器のアドレスの後の括弧書きは制御用端末器に与える調光レベルである。
【００３８】
ここで、壁スイッチ７ａが操作されたとする。この操作信号は信号伝送線３を通して中央制御装置１に送信される。これにより、中央制御装置１は壁スイッチ７ａのアドレスをチェックし、壁スイッチ７ａの固有アドレス１０１をキーとしてメモリ１１２内の図５に示した設定データを参照し、これにより、壁スイッチ７ａの操作対象はアドレス３１１、３１２の制御用端末器４ａ、４ｂであることを認識する。その後、中央制御装置１は前記操作信号に対応した制御信号を制御用端末器４ａ、４ｂに信号伝送線３を通して送ることによって、照明負荷８の調光制御等を行う。尚、前記操作情報により調光制御を行う場合、中央制御装置１はその時の制御用端末器４ａ、４ｂに対する調光レベルを図５に示すようにメモリ１１２に書き込む。
【００３９】
本実施の形態によれば、消灯制御中の照明負荷８に光センサ制御に入り、その後、光センサ制御が終了しても、消灯制御中の照明負荷８が点灯することがないため、手動スイッチにより光センサ制御を入切しなくとも、昼光を利用した省エネルギー制御を円滑に行なうことができ、システムの操作性を著しく向上させることができる。又、手動スイッチを省略できるため、部品点数を減少させて、システムを安価に構築することができる。更に、設定器１０は携帯型で持ち運びができるため、システムに１台常設する必要がなく、この点からも、システムを安価にすることができる。又、本例では、１個の壁スイッチと複数の制御端末器との対応関係を設定器１０から信号伝送線３経由で、中央制御装置１に設定することにより、１個の壁スイッチの操作により複数の制御端末器を制御することができ、システムの使い勝手を向上させることができる。
【００４０】
図６は本発明の照明制御システムの第３の実施の形態を示したブロック図である。本例はトンネル内の照明を制御するシステムの例である。６１は複数の制御端末器６３１、６３２、６３３を制御して照明負荷６４を調光制御する中央制御装置、６２は制御信号などを時分割多重で伝送する信号伝送線、６４はトンネル内に配列された蛍光ランプ等の照明負荷、６５は中央制御装置１に日時などの時間情報を供給するタイマー、６６は照明負荷６４を一定照度に調光制御するためのデータを格納したＲＯＭ、６３１、６３２、６３３は中央制御装置６１からの制御を受けて照明負荷６４を調光制御する制御用端末器である。
【００４１】
次に本実施の形態の動作について説明する。中央制御装置１のＲＯＭ６６には以下に述べるような調光制御用のデータが格納されている。照明負荷６４はランプ交換時（設置時含む）からの経過時間に応じて、その照度が低下すると共に、ランプ表面の汚れを清掃（設置時含む）してからの経過時間に応じて、その照度が低下する。そこで、ランプ交換（設置時含む）からの経過時間を関数としてランプ光束の減衰率を求め、ランプ表面の汚れを清掃（設置時含む）してからの経過時間を関数としてランプ光束の減衰率を求め、これら減衰率を乗算した値をトータル減衰率とする。このため、現在の照明負荷６４の照度はランプ交換時及び直近のランプ表面の汚れの清掃時からの経過時間に対応する前記トータル減衰率から求めることができる。従って、上記した２種類のランプ光束の減衰率を求めるデータが前記各経過時間対応で前記ＲＯＭ６６の中に入っている。但し、現在の照明負荷６４の照度は基準電力を照明負荷に供給した時の照度である。
【００４２】
次に、本実施の形態の動作を図７のフローチャートを参照して説明する。中央制御装置１はタイマー６５によりランプ交換からの経過時間と直前の清掃からの経過時間をステップ７０１にて得ると、ステップ７０２にてこれら経過時間をアドレスとし、ＲＯＭ６６にアクセスすることにより上記したデータを求め、これらデータより、ランプ交換（設置時含む）からの経過時間によるランプ光束の減衰率とランプ表面の汚れを清掃（設置時含む）してからの経過時間によるランプ光束の減衰率を求めることによって、現在の照明負荷６４の照度を求める。次に中央制御装置１はステップ７０３にて求めた現在照度と予め設定されている基準照度との差を求め、この差がなくなるような調光レベルを決定し、この調光レベルを制御端末器６３１、６３２、６３３にステップ７０４にて送信して、照明負荷６４を調光制御することにより、その照度を基準照度とする。中央制御装置１は上記調光制御を一定時間行い、ステップ７０５にて前記一定時間が過ぎると、ステップ７０１に戻って、ランプ交換と直前の清掃からの経過時間を得ることにより、上記制御を一定時間毎にサイクリックに繰り返す。こうして、照明負荷６４の照度が時間経過につれて低下する分、中央制御装置１の調光制御により前記基準電力以上の電力を照明負荷６４に供給して、前記照度の低下分を補い、これにより、照明負荷６４の照度を一定に保持する。
【００４３】
本実施の形態によれば、照明負荷６４の使用時間と汚れ具合に応じて、中央制御装置１が照明負荷６４を調光制御するため、照明負荷６４の照度を一定に保持することができる。このため、ランプ交換時などに無駄な電力が消費されることがなくなるだけでなく、トンネル内が常に一定の明るさに保持されるため、交通などの安全性を高めることができる。
【００４４】
尚、トンネル内の器具の汚れは、トンネルの入り口、出口、中央側により異なるため、器具汚れの減衰率を前記トンネルの入り口、出口、中央側の各エリア毎に求めておき、中央制御装置１により各エリア毎の調光レベルを求め、これら調光レベルを各制御端末器６３１、６３２、６３３に別々に送信して、各エリアの照明負荷６４の調光制御を別々に行うことにより、トンネル内の照度を入り口、出口、中央側の各エリアで一層均一化することができる。又、中央制御装置１により経過時間によるランプ６４の光束の減衰率を計算で求めても、同様の効果がある。
【００４５】
【発明の効果】
以上説明したように請求項１の発明によれば、この光センサ制御中に、手動操作により、点灯制御がかかると、後操作優先として、光センサ制御装置の制御信号にかかわらず照明負荷を点灯させる。その後、光センサ制御が一旦終了して、再度、光センサ制御に入ると、中央制御装置は光センサ制御を行う照明制御システムを提供することができる。
【図面の簡単な説明】
【図１】本発明の照明制御システムの第１の実施の形態を示したブロック図。
【図２】図１に示した中央制御装置の詳細構成例を示したブロック図。
【図３】図１に示した設定器の詳細例を示した平面図。
【図４】図１に示したシステムの動作を説明するタイミングチャート。
【図５】図２に示したメモリの設定内容例を示した摸式図。
【図６】本発明の照明制御システムの第２の実施の形態を示したブロック図。
【図７】図６に示した中央制御装置の調光制御処理手順を示したフローチャート。
【図８】従来の照明制御システムの構成例を示したブロック図。
【図９】従来の照明制御システムの他の構成例を示したブロック図。
【図１０】図９に示したシステムの動作を説明するタイミングチャート。
【符号の説明】
１、６１ 中央制御装置
３、６２ 信号伝送線
４ａ、４ｂ、６３１、６３２、６３３ 制御用端末器
５ 入力用監視端末器
７ａ、７ｂ 壁スイッチ
８、６４ 照明負荷
９ 光センサ制御器
１０ 設定器
１１ スイッチ操作監視端末器
３１ キー操作部
３２ 液晶表示部
３３ 接続ジャック
９１ 光センサ受光器
１１１ ＣＰＵ
１１２ メモリ
１１３ 伝送制御部
１１４ 電源部
【図１】
0004010465.tif 000002
【図２】
0004010465.tif 000003
【図３】
0004010465.tif 000004
【図４】
0004010465.tif 000005
【図５】
0004010465.tif 000006
【図６】
0004010465.tif 000007
【図７】
0004010465.tif 000008
【図８】
0004010465.tif 000009
【図９】
0004010465.tif 000010
【図１０】
0004010465.tif 000011